(57)【要約】      （修正有）【課題】コウモリを建物中に残すことや閉じ込めることを防止できるコウモリ目の追い出し用仕掛け具を提供する。【解決手段】コウモリ目の追い出し用仕掛け具１００は、織金網１０と、織金網に切れ込みを入れて織りはずれ１１を形成し、織りはずれに有する横線又は縦線の何れかの複数の線３１を傾斜させ、織金網の網目１５の面積より広い開口面積を有する出口２０と傾斜された複数の線で構成される線状突起３０とを備え、コウモリ目のアクセス箇所Ｎに取り付けられ、出口からコウモリ目の退出を可能とし、コウモリ目の進入を阻止又は妨害する。【選択図】図２
0003234100.tif 000002
【実用新案登録請求の範囲】
【請求項１】
織金網と、
該織金網に切れ込みを入れて織りはずれを形成し、該織りはずれに有する横線又は縦線の何れかの複数の線を傾斜させ、前記織金網の網目の面積より広い開口面積を有する出口と傾斜された前記複数の線で構成される線状突起とを備え、
コウモリ目のアクセス箇所に取り付けられ、前記出口からコウモリ目の退出を可能とし、コウモリ目の進入を阻止又は妨害することを特徴とするコウモリ目の追い出し用仕掛け具。
【請求項２】
前記線状突起は、前記複数の線が、正面視で、前記出口を覆い、底面視で、前記織金網から前面に突出していることを特徴とする請求項１記載のコウモリ目の追い出し用仕掛け具。
【請求項３】
前記線状突起は、前記複数の線に反りを有することを特徴とする請求項１又は２に記載のコウモリ目の追い出し用仕掛け具。
【請求項４】
前記織金網は、ステンレス鋼線製であることを特徴とする請求項１から３の何れかに記載のコウモリ目の追い出し用仕掛け具。
【請求項５】
前記複数の線は、軟質のステンレス鋼線であることを特徴とする請求項１から４の何れかに記載のコウモリ目の追い出し用仕掛け具。
【考案の詳細な説明】
【技術分野】
【０００１】
本考案は、巣からの追い出しに用いられ、追い出し後の進入を阻止又は妨害するコウモリ目の追い出し用仕掛け具に関する。
【背景技術】
【０００２】
従来、一般家屋の軒下でコウモリの被害を受けることがあった。コウモリが侵入してしまった場合の撃退法として、コウモリの巣に対して噴霧や塗布するコウモリ用のスプレー、忌避剤、噴霧剤があった。
【０００３】
また、従来の忌避具として、特許文献１に軒下におけるコウモリの止り阻止構造が開示されている。これは、軒先の下方から見える上げ裏と外壁とから鋭角な隅角を形成する軒下において、上げ裏と外壁との間に、軒とは逆向きに傾斜する遮蔽部材を、隅角の長手方向に沿って固着し、上げ裏と遮蔽部材の表面と外壁とから形成するコーナー箇所で、外壁にさかさまにへばりついたコウモリが、前後両肢を突っ張り、背の下端部を上げ裏方向に突き出しても、背の下端部が上げ裏に触れない程度に、遮蔽部材によって上げ裏と外壁との間隔を離し、さらに、遮蔽部材が表面の平滑な板体からなり、その上下両端部を上げ裏及び外壁に固定する取付け部となすと共に、中間部を隅角を覆い隠す隠蔽部となし、外壁に固定する取付け部の垂下する長さを、コウモリの丈より長くしてあるものである。
【先行技術文献】
【特許文献】
【０００４】
【特許文献１】特許第２７６６７８９号公報
【０００５】
しかしながら、従来のスプレー、忌避剤、噴霧剤では、例えば、巣が天井裏の場合、その壁の内面全部に施工しなければならず、煩雑である。また、スプレー、忌避剤、噴霧剤を噴霧等したことで、コウモリをより奥へ追いやってしまうことがあった。
【０００６】
また、特許文献１に記載の上り防止構造は、コウモリが住み着いた後では施工できない。また、コウモリが飛び立つのを待ち、建物中にコウモリがいないことを確認してから取り付ける必要があり、作業性が悪い。また、これを怠ると、コウモリを建物内に残すことや閉じ込めてしまうことがあった。
【考案の概要】
【考案が解決しようとする課題】
【０００７】
そこで、本考案の目的は、コウモリを建物中に残すことや閉じ込めることを防止できるコウモリ目の追い出し用仕掛け具を提供することである。
【課題を解決するための手段】
【０００８】
本考案の一態様に係るコウモリ目の追い出し用仕掛け具は、織金網と、該織金網に切れ込みを入れて織りはずれを形成し、該織りはずれに有する横線又は縦線の何れかの複数の線を傾斜させ、前記織金網の網目の面積より広い開口面積を有する出口と傾斜された前記複数の線で構成される線状突起とを備え、コウモリ目のアクセス箇所に取り付けられ、前記出口からコウモリ目の退出を可能とし、コウモリ目の進入を阻止又は妨害する構成である。
【０００９】
コウモリ目は、生物の分類で、哺乳綱コウモリ目（翼手類）に属する動物をいう。コウモリ（蝙蝠）は、脊椎動物亜門哺乳綱コウモリ目に属する動物の総称である。コウモリ目には、例えば、アブラコウモリ、オガサワラオオコウモリ、カグラコウモリ、ニホンウサギコウモリ、キクガシラコウモリ、オヒキコウモリが挙げられる。
【００１０】
織りはずれは、縦線又は横線の一部が切れてなくなり抜けた状態又は編まれていない状態をいう。縦線は、長さ方向に走るすべての線をいい、横線は、横方向に走るすべての線をいう。退出は、今までいた場所から引き下がることをいう。進入は、アクセス箇所から内部に入ることをいう。
【００１１】
また、前記線状突起は、前記複数の線が、正面視で、前記出口を覆い、底面視で、前記織金網から前面に突出している構成であってもよい。
【００１２】
さらに、前記線状突起は、前記複数の線に反りを有する構成であってもよい。
【００１３】
さらにまた、前記織金網は、ステンレス鋼線製である構成であってもよい。
【００１４】
前記複数の線は、軟質のステンレス鋼線である構成であってもよい。
【考案の効果】
【００１５】
本考案の一態様に係るコウモリ目の追い出し用仕掛け具によれば、上記構成としたので、コウモリを建物中に残すことや閉じ込めることを防止できるという効果を奏する。
【図面の簡単な説明】
【００１６】
【図１】本考案の一実施形態のコウモリ目の追い出し用仕掛け具の施工場所の一例を示す斜視図である。
【図２】図１の追い出し用仕掛け具を示す一部拡大正面図である。
【図３】図２のＡ−Ａ断面図である。
【図４】図１の追い出し用仕掛け具を示す一部拡大底面図である。
【図５】本考案の実施形態に係るコウモリ目の追い出し用仕掛け具の施工方法を示すフローチャートである。
【考案を実施するための形態】
【００１７】
以下、本考案を実施するための形態について、図１〜図５を参照しつつ、詳細に説明する。本実施形態のコウモリ目の追い出し用仕掛け具１００は、コウモリ目の巣からの追い出しに用いられ、追い出し後の進入を阻止又は妨害するものである。なお、本考案は以下の実施形態に何ら限定されない。
【００１８】
一般家屋において、縦胴縁に横張りサイディングという和風住宅の建て方の場合、外壁１の種類や屋上部の取り回し方によっては、外壁１と防水シートの空間に、コウモリ目が侵入することがある。
【００１９】
また、図１に示すように、和風住宅の軒３下に垂木４が見えるタイプは、面戸板までの奥行きがあるので、コウモリ目が休息のため飛来することがある。例えば、アブラコウモリの場合、家屋の縦胴縁や、図２に示すように、垂木４の周囲に１０ｍｍ以上の隙間Ｇがあると、この隙間Ｇに隠れ始め、さらには住み着いてしまうことがある。
【００２０】
図２では、隙間Ｇは、化粧板２と垂木４との間に有する。化粧板２は、面戸板の前面の垂木間に配置され、野地板５と軒桁６とに取り付けられている。隙間Ｇを含むコウモリ目のアクセス箇所Ｎに、追い出し用仕掛け具１００は使用される。本実施形態の場合、アクセス箇所Ｎは、隙間Ｇを挟む野地板５と軒桁６、隙間Ｇを挟む化粧板２と垂木４である。
【００２１】
追い出し用仕掛け具１００は、織金網１０と、出口２０と、線状突起３０と、取付部５０とを備えている。また、追い出し用仕掛け具１００は、アクセス箇所Ｎを覆う大きさを有する。
【００２２】
織金網１０は、ＪＩＳ  Ｇ  ３５５５に準拠する織金物と、ＪＩＳ  Ｇ  ３５５６に準拠する工業用織金網が挙げられる。織金網１０には、なまし鉄線製織金網、亜鉛めっき鉄線製織金網及びステンレス鋼線製金網が含まれる。
【００２３】
織金網１０は、好ましくは、ステンレス鋼線材及び１０．５％以上のクロムを含む耐熱鋼線材を用いて製造したステンレス鋼線製が好ましい。ステンレス鋼線は、ＪＩＳ  Ｇ  ４３０９に準拠する。
【００２４】
織金網１０は、縦線１２と横線１３を有する。線径は、０．０２０ｍｍ以上１４．０ｍｍ以下で、好ましくは、０．１６ｍｍを超え０．５０ｍｍ以下であり、より好ましくは、０．４ｍｍである。線径は、網金網１０の線の直径をいう。
【００２５】
織金網１０は、コウモリ目の物理的な進入を防ぐため、対象のコウモリ目より十分細かい網目１５を有することが好ましい。網目１５は、縦線１２と横線１３で囲われた部分をいう。
【００２６】
網目１５は、例えば、対象のコウモリ目がアブラコウモリの場合、１０ｍｍ以下の目開きが好ましく、より好ましくは１６メッシュが挙げられる。目開きは、二本の隣接する縦線１２又は横線間の距離をいい、メッシュは、２５．４ｍｍ間の目数をいう。
【００２７】
織金網１０の製造方法は、平織金網が挙げられる。即ち、織金網１０は、縦線１２と横線１３とが一定の間隔を保ち、一本ずつ相互に交わらせて製造される。アクセス箇所Ｎは、施工現場に応じて異なるため、織金網１０は、施工現場に応じた大きさに切断されて使用される。
【００２８】
織金網１０には、一部に切れ込みを入れて織りはずれ１１が形成されている。織りはずれ１１は、所定の面積を有する。その面積は、幅Ｘが織金網１０の目開き以上織金網１０の全幅未満で、長さＹが対象のコウモリ目の頭胴長より短く形成されている。幅Ｘは、切れてなくなり抜けた状態又は編まれていない状態の横線１３の距離をいう。長さＹは、切れてなくなり抜けた状態又は編まれていない状態の縦線１２の距離をいう。
【００２９】
図２に、複数の横線１３の一部が切れてなくなり抜けた状態の織りはずれ１１の例を示す。織りはずれ１１では、幅Ｘの両端で、織金網１０の一方側若しくは一の横線から長さＹ内に存在する複数の横線が切断されて取り除かれ、複数の線３１を有する。
【００３０】
出口２０は、織金網１０に意図的に形成されたコウモリ目の退出のための開口である。出口２０は、網目１５の面積より広い開口面積を有する。出口２０の開口面積は、幅Ｘと長さＹとの積で表される。また、出口２０は、図３に示すように斜め下方である、開口方向Ｄへ開口している。
【００３１】
突起部材３０は、出口２０と複数の線３１とで構成されている。複数の線３１は、傾斜されており、線状突起３０の傾斜方向は、開口方向Ｄと平行である。また、線状突起３０は、巣にいるコウモリ目にとっての出口誘導路ともなり得る。
【００３２】
複数の線３１は、正面視で、出口２０を覆っている。また、複数の線３１は、側面視で、織金網１０の表面から所定の角度θを有して斜め下方に傾斜している。角度θは、後述する突起部材３０の開口高さとの関係で決まる。例えば、２０度以上４５度以下の範囲内でよい。さらに、複数の線３１は、底面視で、図４に示すように、織金網１０の表面から前面に突出している。
【００３３】
線３１は、出口２０に意図的に形成されたコウモリ目の進入を阻止又は妨害するための邪魔部材である。線３１は、軟質のステンレス鋼線が好ましい。複数の線３１の引張強さは、６８０〜９３０Ｎ／ｍｍ２、６１０〜８６０Ｎ／ｍｍ２、５８０〜８３０Ｎ／ｍｍ２が好ましい。ただし、試験方法は、ＪＩＳ  Ｚ  ２２４１による。
【００３４】
線３１の長さは、対象のコウモリ目の頭胴長より短く設定されている。例えば、対象のコウモリ目がアブラコウモリの場合、３０ｍｍ以内とすることが好ましい。なお、複数の線３１が配列される突起部材３０の幅Ｘは、施工現場に応じて対応可能となるように種々のバージョンのものがある。
【００３５】
また、線状突起３０は、線３１に反り４０を有していることが好ましい。反り４０は、線３１の根元３２から先端３３までの仮想直線から線３１への垂直線の最長距離又はその最長距離の部位をいう。反り４０には、腰反り、中反り、先反り、内反り、筍反りが挙げられる。また、複数の線３１は、各々の先端３３が一方向に揃っていてもよいが、図２〜図４に示すように、各々、先端３３が、無作為に種々の方向に向いているとよい。
【００３６】
突起部材３０の開口高さは、出口２０の開口平面から線３１の先端３３への垂直線の距離、又は反り４０を有する場合は出口２０の開口平面から反り４０への垂直線の距離をいい、コウモリ目が退出可能な距離となっていることが好ましい。
【００３７】
例えば、対象のコウモリ目がアブラコウモリの場合、その身体は小さく、運動能力も高いため、突起部材３０の開口高さは、８ｍｍ以上１５ｍｍ以下の範囲内であることが好ましい。１５ｍｍを超えると物理的に進入が可能となり、８ｍｍ未満であると退場が不可能となることや、退場するアブラコウモリの渋滞が発生するためである。
【００３８】
取付部５０は、コウモリ目のアクセス箇所Ｎに取り付けるための織金網１０の部位である。取付部５０は、織りはずれ１１の周囲に有する。取付部５０は、化粧板２と、垂木４と、野地板５と、軒桁６とに取り付けられている。取付部５０の取付方法は、例えば、シリコンコーキング、シーリング、ビス又はタッカーによる取付方法が挙げられる。
【００３９】
次に、追い出し用仕掛け具１００の施工方法２００について、図６を参照しつつ説明する。図６は、施工方法２００を示すフローチャートである。施工方法２００は、ステップＳ２０１からステップＳ２０７の工程を有する。
【００４０】
まず、ステップＳ２０１において、施工を開始する。施工にあたり、施工現場において、コウモリ目のアクセス箇所Ｎを確認することが好ましい。但し、コウモリ目の退出を待ったり、確認する必要はない。
【００４１】
次に、ステップＳ２０２において、織金網１０を準備する。アクセス箇所Ｎは、施工現場に応じて異なるため、ステップＳ２０２において、織金網１０を、施工現場に応じた大きさに切断してもよい。また、ステップ２０６において、織金網１０を切断してもよいし、その両ステップで切断してもよい。
【００４２】
ステップＳ２０３において、織金網１０に切れ込みを入れて織りはずれ１１を形成する。具体的には、幅Ｘの両端で、複数の横線を織金網１０の一方側から長さ方向に長さＹ分を切断し、切断された複数の横線を取り除く（図２参照）。
【００４３】
ステップＳ２０４において、線状突起３０を形成する。例えば、織りはずれ１１に指を当て、線３１の根元３２を軸にして先端３３を起こすように傾斜させる。これにより、出口２０と傾斜された複数の線３１とで構成される線状突起３０が形成される。
【００４４】
ステップＳ２０５において、線３１に反り４０を形成する。例えば、線３１の先端３３に力を加えて反り４０を形成する方法や、線３１を指でつまんで種々の方向に向ける方法が挙げられる。ここでは、複数の線３１が無作為に種々の方向に向いているように反り４０を形成することが好ましい。
【００４５】
ステップＳ２０６において、取付部５０を、アクセス箇所Ｎに取り付ける。具体的には、取付部５０に、シリコンコーキング若しくはシーリングを塗布し、又はビス又はタッカーを用いる。これにより、追い出し用仕掛け具１００がアクセス箇所Ｎに取り付けられる。
【００４６】
ステップＳ２０７において、追い出し用仕掛け具１００の施工が終了する。施行後に、コウモリ目の退出を確認する必要はない。コウモリ目が、内部にいた場合、施工後に出口２０から飛び立つようになる。
【００４７】
以上説明したように、本実施形態のコウモリ目の追い出し用仕掛け具１００によれば、上記構成としたので、コウモリ目を建物中に残すことや閉じ込めることを防止できる。このため、コウモリ目が住み着いた場合でも、その場所に使用し、追い出しを実現することができる。
【００４８】
即ち、アクセス箇所Ｎは織金網１０で覆われているので、コウモリ目の出口２０以外からの退出と進入を阻止することができる。一方、追い出し用仕掛け具１００は出口２０を有するので、コウモリ目は、出口２０から退出が可能である。出口２０は、斜め下方である開口方向Ｄへ開口している場合には、コウモリ目は、開口方向Ｄに退出できる。
【００４９】
一般に、コウモリ目は、夕方になると餌をとるため飛び立つようになる。コウモリ目には帰巣本能があると言われており、飛び立ったコウモリ目がアクセス箇所Ｎに戻ってこようとする。
【００５０】
しかし、追い出し用仕掛け具１００は、線状突起３０を備えているので、コウモリ目が、アクセス箇所Ｎへ接近することを阻止又は妨害することができる。線状突起３０は、複数の線３１で構成されているので、複数の線３１の先端３３が接近したコウモリ目に接触可能であり、接近や進入の邪魔部材として進入を阻止又は妨害することができる。
【００５１】
また、複数の線３１が、正面視で、出口２０を覆い、底面視で、織金網１０から前面に突出している場合には、線状突起３０によって出口２０からの進入や再進入を防止することができる。勿論、線状突起３０への接近や停まって休むということも防止することができる。
【００５２】
線３１に反り４０を有する場合には、各線３１の長さが異なり、コウモリ目の接近距離や位置に広く対応することができる。また、先端３３が種々の方向を向いている場合には、コウモリ目の進入方向に広く対応することができる。
【００５３】
また、線３１が軟質のステンレス鋼線の場合には、風や雨等の自然現象が生じても、線状突起３０の形状を保持でき、容易に変形や揺れ動くことを防止できる。一方で、線３１が軟質の場合には、施工者は、容易に、かつ、簡単に、線３１の変形や反り４０を形成することができる。このため、施工性が良い。
【００５４】
さらに、線３１が軟質の場合には、コウモリ目は、退出の際に線３１を内部から押し動かすことが可能で、コウモリ目の退出の邪魔になることを防止できる。他方で、侵入の際に先端３３や反り４０が侵入の邪魔になり、コウモリ目が先端３３や反り４０を変形させることは不可能で、進入を防止できる。追い出しと侵入防止と忌避の点で効果的である。
【００５５】
さらにまた、線状突起３０は、複数の線３１の引張強さが、６８０〜９３０Ｎ／ｍｍ２、６１０〜８６０Ｎ／ｍｍ２、５８０〜８３０Ｎ／ｍｍ２の場合には、適度な粘り気があり、忌避性が良く、施工がしやすい。
【００５６】
また、線３１の線径が、０．１６ｍｍを超え０．５０ｍｍ以下であり、例えば、０．４ｍｍである場合、線３１は、細く、かつ、腰がある。このため、施工性に優れるとともに、線状突起３０に備える鋭利な先端３３で忌避効果が高い。
【００５７】
出口２０が斜め下方に開口し、線状突起３０が開口方向に沿って傾斜している場合には、線状突起３０に沿ってコウモリ目が出口２０から退出することができる。また、斜め下方から接近するというコウモリ目の特性に対応でき、接近や進入を防止することができる。
【００５８】
織金網１０がステンレス鋼線製である場合には、錆びの発生を防止することができる。経年劣化にも強く、長期間の使用にも耐えることができる。即ち、長期的にコウモリ目の忌避具としての効果を長期間にわたって発揮することができる。
【００５９】
本実施形態の施工方法２００によれば、コウモリ目が飛び立って建物中にいないことを確認することなく、容易にかつ迅速に施工することができる。換言すれば、コウモリ目が住み着いているときにも、容易にかつ迅速に施工することができる。従って、例えば、夕方まで施工を待ったり、コウモリ目が飛び立ったことや建物内部に残っていないことを確認する必要がない。このため、夜間まで待つということがなく、迅速に施工できる。
【００６０】
また、施工方法２００によれば、隙間Ｇを有しない施工現場に対応可能である。例えば、隙間Ｇを有しない垂木間にも施工可能である。和風住宅の軒３下に垂木４が見えないタイプにも施工可能である。なお、垂木間に施工する場合、例えば、出口２０の開口幅Ｘや複数の線３１が配列される線状突起３０の幅は、１０ｍｍ以上２００ｍｍ以下の範囲内に形成可能である。
【００６１】
（本考案の変形例）
なお、本考案のコウモリ目の追い出し用仕掛け具及びその施工方法に係る構成は、上記実施形態に何ら限定されるものではなく、織金網、出口、線状突起、反り、取付部の形状、構造に係る構成又は各工程について、本考案の趣旨を逸脱しない範囲に応じ適宜変更可能である。
【００６２】
例えば、本考案に係るコウモリ目の追い出し用仕掛け具は、上記実施形態の如く、平織金網の織金網に何ら限定されない。織金網の製造方法は、平織金網に何ら限定されず、例えば、あや織金網であってもよいし、畳織金網であってもよい。
【００６３】
また、図２には、正方目の織金網が図示されているが、何らこれに限定されない。織金網はコウモリ目のアクセス箇所に取り付け可能であればよく、形状は限定されず、アクセス箇所に応じて対応可能である。図２には、織金網に耳を有するが、耳は、有しなくてもよい。耳は、横線の外側のループ状の折返しの部分である。
【００６４】
また、織金網に有する織りはずれは、織金網に切れ込みを入れて横線の一部が切れてなくなり抜けた状態の織りはずれに何ら限定されず、例えば、横線が編まれていない状態のものであってもよいし、縦線と横線が編まれていない状態のものであってもよい。また、織りはずれは、織金網に切れ込みを入れて縦線の一部が切れてなくなり抜けた状態又は編まれていない状態のものであってもよい。即ち、織りはずれは、織金網に切れ込みを入れて形成されているものであればよい。切れ込み位置は、図２に示す一側部でなくてもよく、他側部でもよいし、中央部でもよい。切れ込みの位置が側部でない場合は、線の一部を切断して傾斜させればよい。
【００６５】
さらに、本考案に係るコウモリ目の追い出し用仕掛け具は、上記実施形態に如く、複数の線が、図３に示すように、斜め下方に傾斜されているものに何ら限定されない。例えば、線の傾斜方向は、長さ方向であってもよいし、幅方向であってもよいし、斜め上方に傾斜されていてもよい。
【００６６】
さらにまた、本考案に係るコウモリ目の追い出し用仕掛け具は、上記実施形態の如く、線に反りを有するものに何ら限定されず、例えば、反りを有せず傾斜させたものであってもよい。
【００６７】
また、コウモリ目のアクセス箇所は、上記実施形態の如く、化粧板と垂木との隙間を含むところに何ら限定されず、他の隙間を有する場所であってもよいし、隙間を有しないコウモリ目のアクセス箇所であってもよい。
【００６８】
本考案に係るコウモリ目の追い出し用仕掛け具の施工方法は、上記実施形態の如く、反りを形成する工程を有するものに何ら限定されず、例えば、反りを形成せずにコウモリ目のアクセス箇所に取り付けてもよい。
【００６９】
また、本考案に係るコウモリ目の追い出し用仕掛け具の施工方法は、上記実施形態の如く、和風住宅の軒下に垂木が見えるタイプに施工する場合に何ら限定されず、軒下に垂木がみえないタイプであっても施工可能である。
【００７０】
（まとめ）
本考案の一態様に係るコウモリ目の追い出し用仕掛け具は、織金網と、該織金網に切れ込みを入れて織りはずれを形成し、該織りはずれに有する横線又は縦線の何れかの複数の線を傾斜させ、前記織金網の網目の面積より広い開口面積を有する出口と傾斜された前記複数の線で構成される線状突起とを備え、コウモリ目のアクセス箇所に取り付けられ、前記出口からコウモリ目の退出を可能とし、コウモリ目の進入を阻止又は妨害する構成である。
【００７１】
本考案の一態様に係るコウモリ目の追い出し用仕掛け具によれば、上記構成を備えるので、コウモリを建物中に残すことや閉じ込めることを防止できる。
【００７２】
また、本考案の一態様に係るコウモリ目の追い出し用仕掛け具は、前記線状突起は、前記複数の線が、正面視で、前記出口を覆い、底面視で、前記織金網から前面に突出している構成であってもよい。この場合には、コウモリ目の進入を防止することができる。
【００７３】
さらに、本考案の一態様に係るコウモリ目の追い出し用仕掛け具は、前記線状突起は、前記複数の線に反りを有する構成であってもよい。この場合には、反りがあることでコウモリ目の接近距離や位置に広く対応することができる。
【００７４】
さらにまた、本考案の一態様に係るコウモリ目の追い出し用仕掛け具は、前記織金網は、ステンレス鋼線製である構成であってもよい。この場合には、錆びの発生を防止することができる。
【００７５】
本考案の一態様に係るコウモリ目の追い出し用仕掛け具は、前記複数の線は、軟質のステンレス鋼線である構成であってもよい。この場合には、追い出しと侵入防止と忌避の点で効果的である。
【産業上の利用可能性】
【００７６】
巣からの追い出しの実現と追い出し後の進入を阻止又は妨害するコウモリ目の追い出し用仕掛け具であるが、軒下、屋根裏、換気口、雨戸又は屋根の隙間を含むコウモリ目のアクセス箇所に施工して使用することができ、その他、忌避具、飛来防止ネット、防虫ネットなど特定の用途にも適用できる。
【符号の説明】
【００７７】
１０  織金網
１１  織りはずれ
１２  縦線
１３  横線
１５  網目
２０  出口
３０  線状突起
３１  線
４０  反り
５０  取付部
１００  コウモリ目の追い出し用仕掛け具
２００  施工方法
Ｓ２０３  織りはずれを形成する工程
Ｓ２０４  線状突起を形成する工程
Ｓ２０５  反りを形成する工程
Ｓ２０６  アクセス箇所に取り付ける工程
Ｎ  アクセス箇所
【図１】
0003234100.tif 000003
【図２】
0003234100.tif 000004
【図３】
0003234100.tif 000005
【図４】
0003234100.tif 000006
【図５】
0003234100.tif 000007